(57)【要約】【課題】容器のヘッドスペース内をガス置換する際に泡や内容液を吹きこぼすことなく、より少ない不活性ガスの使用量で高い置換効果を得ることが出来る容器のガス置換方法及びその装置を提供する。【解決手段】搬送されて来るボトルＢに対し、ボトル用ノズル１０によってキャッパーヘッドと干渉しない範囲までボトルＢの口部に対し上方から窒素ガスを流し込む。キャッパーヘッドと干渉する範囲からキャップＣと嵌合する直前までは、横側ボトル用ノズル２０によってボトルＢの口部に斜め上方から窒素ガスを流し込む。一方、搬送されて来るキャップＣに対し、キャップ用ノズル３０によってボトルＢと干渉しない範囲までキャップＣの内部に対し下方から窒素ガスを流し込む。ボトルＢと干渉する範囲からボトルＢと嵌合する直前までは、横側キャップ用ノズル４０によってキャップＣの内部に斜め下方から窒素ガスを流し込む。【選択図】図２
2010173665.tif 000002
【特許請求の範囲】
【請求項１】
キャップによる密封工程前に容器のヘッドスペースを不活性ガスによって置換する方法において、
搬送されて来るキャップに対し、第一キャップ用ノズルが前記ボトルと干渉しない範囲まで前記キャップの下方から該キャップ内部へ不活性ガスを流し込み続け、次に前記ボトルと嵌合する直前まで第二キャップ用ノズルが前記ボトル及びキャッパーヘッドの干渉を回避しながら前記キャップに近接し斜め下方から該キャップ内部へ不活性ガスを流し込み続け、
他方、搬送されて来る前記ボトルに対し、第一ボトル用ノズルが前記キャッパーヘッドと干渉しない範囲まで前記ボトルの上方から該ボトル口部ヘッドスペースへ不活性ガスを流し込み続け、次に前記キャップと嵌合する直前まで第二ボトル用ノズルが前記ボトル及び前記キャッパーヘッドの干渉を回避しながら前記ボトル口部に近接し斜め上方から該ボトル口部ヘッドスペースへ不活性ガスを流し込み続けることを特徴とする容器の不活性ガス置換方法。
【請求項２】
前記第二キャップ用ノズルのターゲットポイントは、前記キャップが前記ボトルと嵌合する直前まで、常時、前記キャップ内部の中心近傍である請求項１に記載の容器の不活性ガス置換方法。
【請求項３】
前記第二ボトル用ノズルのターゲットポイントは、前記ボトルが前記キャップと嵌合する直前まで、常時、前記ボトル口部ヘッドスペースの中心近傍である請求項１に記載の容器の不活性ガス置換方法。
【請求項４】
キャップによる密封工程前にキャップ内部およびボトル口部ヘッドスペースを不活性ガスによって置換する不活性ガス置換装置であって、
搬送されて来るキャップに対し、前記ボトルと干渉しない範囲まで前記キャップの下方から該キャップ内部に不活性ガスを流し込む第一キャップ用ノズルと、前記ボトルと嵌合する直前まで前記ボトル及びキャッパーヘッドの干渉を回避しながら前記キャップに近接し斜め下方から不活性ガスを流し込む第二キャップ用ノズルと、
他方、搬送されて来るボトルに対し、前記キャッパーヘッドと干渉しない範囲まで前記ボトルの上方から該ボトル口部へ不活性ガスを流し込む第一ボトル用ノズルと、前記キャップと嵌合する直前まで前記ボトル及び前記キャッパーヘッドの干渉を回避しながら前記ボトル口部に近接し斜め上方から該ボトル口部ヘッドスペースへ不活性ガスを流し込む第二ボトル用ノズルとを備えたことを特徴とする不活性ガス置換装置。
【請求項５】
前記第二キャップ用ノズルは、前記キャップ内部に対するターゲットポイントが一定となるように構成されている請求項４に記載の容器の不活性ガス置換装置。
【請求項６】
前記第二ボトル用ノズルは、前記ボトル口部に対するターゲットポイントが一定となるように構成されている請求項４に記載の容器の不活性ガス置換装置。
【発明の詳細な説明】
【技術分野】
【０００１】
本発明は、容器のガス置換方法及びその装置、特に容器のヘッドスペース内をガス置換する際に泡や内容液を吹きこぼすことなく、より少ない不活性ガスの使用量で高い置換効果を得ることが出来る容器のガス置換方法及びその装置に関する。
【背景技術】
【０００２】
ボトル口部のヘッドスペースに空気が多量に残存していると、空気中の酸素によって内容物が酸化され、味・風味等の官能成分を変質させてしまう虞がある。そのため、ＰＥＴボトルに内容物を充填した後は、キャップによる密封工程の前にボトル口部のヘッドスペースを窒素等の不活性ガスで置換しなければならない。
内容物を充填されたボトルは、ターレットによって搬送され、一方、キャップはキャッパーヘッドに把持された形態で同じくターレットによって搬送され、ボトルの軸芯とキャップの軸芯が一致するところでキャッパーヘッドによって巻締められ密封される。従って、不活性ガスによる置換率の観点から、キャップがボトル口部に嵌合する直前まで、キャップ内部およびボトル口部ヘッドスペースの双方に、「ガス吹き出しノズル」（キャップ用ノズル,ボトル用ノズル）によって不活性ガスを流し込むことが好ましい。しかし、実際は、ボトルがキャップに近接して来るために、キャップ用ノズルがキャップに近接することが出来る相対位置には限界が存在する。他方、ボトル用ノズルについても同様に、キャッパーヘッドがボトルに近接して来るために、ボトル用ノズルがボトルに近接することが出来る相対位置には限界が存在する。つまり、「ガス吹き出しノズル」がキャップ及びボトルに近接することが出来ないノズル非近接ゾーンが存在する。このノズル非近接ゾーンのために、不活性ガスで置換されたキャップ内部およびボトル口部ヘッドスペースに空気が再び流入し、キャップ内部およびボトル口部ヘッドスペースにおける不活性ガスによる置換率を低下させていた。
ところで、ボトル口部のヘッドスペースにおける高い置換率を得るために、キャッピング前工程においてはボトル口部ヘッドスペースを容器口部の上方から噴射ノズルとルーバーにより不活性ガスで置換し、以降のキャップ嵌合までの間はボトル口部の横方向からルーバーにより不活性ガスを流し続け、他方、キャップ内面に対して、キャッピング前工程においては下方から不活性ガスで置換を行い、以降のボトル口部との嵌合までの間は上記横方向のルーバーによって不活性ガスを流し続け、「キャップとボトル口部の嵌合工程」における空気の巻き込み現象を防止した容器の不活性ガス置換方法及びその装置が知られている（特許文献１を参照。）。
【０００３】
【特許文献１】特開２００４−４２９９４号公報
【発明の開示】
【発明が解決しようとする課題】
【０００４】
上記容器の不活性ガス置換方法及びその装置では、キャッピング前工程における各ノズルによる垂直下方または垂直上方からの不活性ガスの噴射に加え、キャッピング前工程からキャッピング工程に到る全工程においてはルーバーによって横方向から不活性ガスをそれぞれ流し続け、不活性ガスのカーテン効果によりキャッピング前工程からキャッピング工程に到る全工程においてボトル口部及びキャップ内部への空気再流入を防止するようにしている。
しかし、上記容器のガス置換方法及びその装置は、結局、ノズル非近接ゾーンの雰囲気自体を不活性ガスによって置換している。つまり、キャップ内部およびボトル口部ヘッドスペースを置換するために、不活性ガスによって置換する必要のないスペースまでをも不活性ガスによって置換していることになる。その結果、大量の不活性ガスが必要になるという問題点を有していた。
また、大量の不活性ガスを流すために流量、流速を大きくすると、ボトル口部から泡や内容物が飛散し、充填ラインを汚染するという問題があった。
そこで、本発明は、かかる従来技術の問題点に鑑みなされたものであって、その目的は、容器のヘッドスペース内をガス置換する際に泡や内容液を吹きこぼすことなく、より少ない不活性ガスの使用量で高い置換効果を得ることが出来る容器のガス置換方法及びその装置を提供することにある。
【課題を解決するための手段】
【０００５】
前記目的を達成するために請求項１に記載の容器のガス置換方法では、キャップによる密封工程前に容器のヘッドスペースを不活性ガスによって置換する方法において、
搬送されて来るキャップに対し、「第一キャップ用ノズル」が前記ボトルと干渉しない範囲まで前記キャップの下方から該キャップ内部へ不活性ガスを流し込み続け、次に前記ボトルと嵌合する直前まで「第二キャップ用ノズル」が前記ボトル及びキャッパーヘッドの干渉を回避しながら前記キャップに近接し斜め下方から該キャップ内部へ不活性ガスを流し込み続け、
他方、搬送されて来る前記ボトルに対し、「第一ボトル用ノズル」が前記キャッパーヘッドと干渉しない範囲まで前記ボトルの上方から該ボトル口部ヘッドスペースへ不活性ガスを流し込み続け、次に前記キャップと嵌合する直前まで「第二ボトル用ノズル」が前記ボトル及び前記キャッパーヘッドの干渉を回避しながら前記ボトル口部に近接し斜め上方から該ボトル口部ヘッドスペースへ不活性ガスを流し込み続けることを特徴とする。
上記容器のガス置換方法では、キャップ及びボトルがターレットによって搬送されて来る間に加え、従来のガスノズルがキャップ内部またはボトル口部ヘッドスペースに近接することが出来ない、いわゆるノズル非近接ゾーンからキャップがボトル口部に嵌合する直前まで、キャップ内部及びボトル口部ヘッドスペースへ不活性ガスを流し込むことが出来るように構成されている。つまり、キャップ及びボトルが各ターレットによって搬送されて上記従来のノズル非近接ゾーンに入るまでは、「第一キャップ用ノズル」及び「第一ボトル用ノズル」がそれぞれ下方および上方から、キャップ内部およびボトル口部ヘッドスペースに不活性ガスを流し込む。更に、キャップ及びボトルが上記従来のノズル非近接ゾーンに入り嵌合する直前までは、「第二キャップ用ノズル」及び「第二ボトル用ノズル」が、それぞれ斜め下方および斜め上方から、キャップ内部およびボトル口部ヘッドスペースへ不活性ガスを流し込む。これにより、キャッピング前工程からキャッピング工程に到る全工程において、各ガスノズルは、キャップ内部またはボトル口部ヘッドスペースに各々近接することが出来るため、従来よりも少ない不活性ガス量でボトル口部ヘッドスペースの置換率を高めることが可能となる。
また、キャップがボトル口部に嵌合する直前まで、各ノズルがキャップ内部およびボトル口部に各々近接することが出来るため、ノズルから噴射される不活性ガスの流速および流量についても従来に比べより小さくすることが可能となり、泡や内容液の吹きこぼれによるラインの汚染を好適に防止することが可能となる。
また、後述するように、各ノズルのターゲットポイントは、キャップ又はボトル口部の移動に相対的に追従して、キャップ内部中心またはボトル口部ヘッドスペース中心となるように調整されているため、キャップ又はボトル口部への空気の再流入を好適に防止する。
【０００６】
請求項２に記載の容器のガス置換方法では、前記第二キャップ用ノズルのターゲットポイントは、前記キャップが前記ボトルと嵌合する直前まで、常時、前記キャップ内部の中心近傍であることとした。
上記容器のガス置換方法では、第二キャップ用ノズルのターゲットポイントを上記位置とすることにより、上記ノズル非近接ゾーンからキャップ密封工程の間にキャップ内部の空気を好適に追い出し空気の再流入を好適に防止することが可能となる。
【０００７】
請求項３に記載の容器のガス置換方法では、前記第二ボトル用ノズルのターゲットポイントは、前記ボトルが前記キャップと嵌合する直前まで、常時、前記ボトル口部ヘッドスペースの中心近傍であることとした。
上記容器のガス置換方法では、第二ボトル用ノズルのターゲットポイントを上記位置とすることにより、上記ノズル非近接ゾーンからキャップ密封工程の間にボトル口部ヘッドスペースの空気を好適に追い出し空気の再流入を好適に防止することが可能となる。
【０００８】
請求項４に記載の容器のガス置換装置では、キャップによる密封工程前にキャップ内部およびボトル口部ヘッドスペースを不活性ガスによって置換する不活性ガス置換装置であって、
搬送されて来るキャップに対し、前記ボトルと干渉しない範囲まで前記キャップの下方から該キャップ内部に不活性ガスを流し込む「第一キャップ用ノズル」と、前記ボトルと嵌合する直前まで前記ボトル及びキャッパーヘッドの干渉を回避しながら前記キャップに近接し斜め下方から不活性ガスを流し込む「第二キャップ用ノズル」と、
他方、搬送されて来るボトルに対し、前記キャッパーヘッドと干渉しない範囲まで前記ボトルの上方から該ボトル口部へ不活性ガスを流し込む「第一ボトル用ノズル」と、前記キャップと嵌合する直前まで前記ボトル及び前記キャッパーヘッドの干渉を回避しながら前記ボトル口部に近接し斜め上方から該ボトル口部ヘッドスペースへ不活性ガスを流し込む「第二ボトル用ノズル」とを備えたことを特徴とする。
上記容器のガス置換では、上記請求項１に記載の容器のガス置換方法を好適に実施することが出来る。
【０００９】
請求項５に記載の容器のガス置換装置では、前記第二キャップ用ノズルは、前記キャップ内部に対するターゲットポイントが一定となるように構成されていることとした。
上記容器のガス置換装置では、上記請求項２に記載の容器のガス置換方法を好適に実施することが出来る。
【００１０】
請求項６に記載の容器のガス置換装置では、前記第二ボトル用ノズルは、前記ボトル口部に対するターゲットポイントが一定となるように構成されていることとした。
上記容器のガス置換装置では、上記請求項３に記載の容器のガス置換方法を好適に実施することが出来る。
【発明の効果】
【００１１】
本発明の容器のガス置換方法によれば、キャップとボトル口部が嵌合する直前まで、不活性ガスを噴射する各キャップ用ノズル及びボトル用ノズルが、キャップ又はボトル口部に各々近接して各内部に対し不活性ガスを流し込むことが出来るように構成されている。また、上記キャップ用ノズル及びボトル用ノズルはキャップ又はボトルの移動方向に相対的に各々追従して、そのターゲットポイントがキャップ内部中心またはボトル口部中心となるように各々構成されている。これにより、少ない不活性ガス量によってキャップ内部およびボトル口部ヘッドスペースに対するガス置換を促進すると共に、空気再流入を好適に防止することが可能となる。つまり、少ない不活性ガス量によってボトル口部ヘッドスペースにおけるガス置換率を向上させることが可能となる。更に、上記ノズルは、キャップとボトル口部が嵌合する直前までキャップ又はボトル口部に各々近接することが出来るため、各ノズルから噴射されるガスの流速および流量は小さくて済み、その結果ガス置換の際の泡や内容液の吹きこぼれによるラインの汚染を好適に防止することが可能となる。
また本発明の容器のガス置換装置によれば、上記容器のガス置換方法を好適に実施することが出来る。
【発明を実施するための最良の形態】
【００１２】
以下、図に示す実施の形態により本発明をさらに詳細に説明する。
【００１３】
図１は、本発明のＰＥＴボトル用ガス置換装置１００を示す構成説明図である。
このＰＥＴボトルガス置換装置１００は、キャッパーヘッド（図示せず）に干渉しない範囲までボトルＢの口部ヘッドスペースに対し上方から窒素ガスを流し込む「第一ボトル用ノズル」としてのボトル用ノズル１０と、ボトル用ノズル１０によるガス置換の後キャップＣがボトルＢの口部に嵌合する直前までボトルＢの口部ヘッドスペースに対し斜め上方から窒素ガスを流し込む「第二ボトル用ノズル」としての横側ボトル用ノズル２０と、ボトルＢに干渉しない範囲までキャップＣの内部に対し下方から窒素ガスを流し込む「第一キャップ用ノズル」としてのキャップ用ノズル３０と、キャップ用ノズル３０によるガス置換の後キャップＣがボトルＢの口部に嵌合する直前までキャップＣの内部に対し斜め下方から窒素ガスを流し込む「第二キャップ用ノズル」としての横側キャップ用ノズル４０とを具備して構成されている。なお、詳細については、図２から図４を参照しながら後述するが、上記横側ボトル用ノズル２０および横側キャップ用ノズル４０は、キャップＣがボトルＢの口部に嵌合する直前まで窒素ガスをボトルＢの口部またはキャップＣの内部に各々流し込むことが出来るように構成されている。
【００１４】
ボトル用ノズル１０は、ボトルＢの口部ヘッドスペースに対し上方から窒素ガスを連続的に流し込むことが出来るように、その噴射方向がボトル中心軸と平行である複数のガス噴射穴が、ボトル搬送ターレットＢＴ上のボトルＢの移動方向に沿って配設されている。但し、その配設可能範囲は、キャッパーヘッド（図示せず）と干渉しない範囲内迄である。それを超える範囲については、横側ボトル用ノズル２０がボトルＢの口部ヘッドスペースに対し斜め上方から窒素ガスを連続的に流し込む。その際、図２に示すように、キャップＣがボトルＢの口部に嵌合する直前まで、横側ボトル用ノズル２０がボトルＢの移動方向に相対的に追従しながらボトルＢのヘッドスペース中心近傍に窒素ガスを連続的に流し込む。
【００１５】
ボトル用ノズル１０のガス噴射穴の穴径としては、例えば、ボトル口部ヘッドスペース量＝15ml、充填ラインの充填速度＝480BPMの場合は、φ８mmが好ましい。また、穴数としては６穴以上が好ましい。ガス噴射穴が上記仕様の場合、窒素ガス流量＝200NL/min（流速＝14.5m/s）までの範囲内においてボトル口部ヘッドスペースからの泡の飛散は確認されなかった。
【００１６】
キャップ用ノズル３０は、キャップＣの内部に対し下方から窒素ガスを連続的に流し込むことが出来るように、その噴射方向がキャップ中心軸と平行である複数のガス噴射穴が、キャッパーターレットＣＴ上のキャップＣの移動方向に沿って配設されている。その配設可能範囲は、ボトルＢと干渉しない範囲内迄である。なお、それを超える範囲については、横側キャップ用ノズル４０がキャップＣの内部に対し斜め下方から窒素ガスを連続的に流し込む。その際、図２に示すように、キャップＣがボトルＢの口部に嵌合する直前まで、横側キャップ用ノズル４０がキャップＣの移動方向に相対的に追従しながらその内部中心近傍に窒素ガスを連続的に流し込む。
【００１７】
従来は、ボトル用ノズル及びキャップ用ノズルがボトル及びキャップに近接することが出来ない範囲に対しては、その範囲を含む雰囲気全体を不活性ガスによって置換することによって、ボトルＢの口部ヘッドスペース及びキャップＣの内部に対する空気の再流入を防止していた。しかし、本発明のＰＥＴボトル用ガス置換装置１００では、キャップＣとボトルＢが嵌合する直前まで窒素ガスをボトル口部及びキャップ内部に連続的に流し込むことが出来るため、従来より少ない窒素ガスの使用量でボトルＢの口部ヘッドスペースにおける高い置換効果を得ることが可能となる。
【００１８】
また、上記横側ボトル用ノズル２０及び横側キャップ用ノズル４０は、キャップＣとボトルＢが嵌合する直前までキャップ及びボトル口部に各々近接することが出来るため、各ノズルから噴射されるガスの流速および流量は小さくて済み、その結果ガス置換の際の泡や内容液の吹きこぼれによるラインの汚染を好適に防止することが可能となる。
【００１９】
図３は、図１のＡx−Ａx部分断面図である。
先ずボトル用ノズル１０が、ボトルＢの口部ヘッドスペースに対し上方から窒素ガスを連続的に流し込む。また、ボトル用ノズル１０の先端部には、段差が設けられ、これによりボトル用ノズル１０と横側ボトル用ノズル２０がオーバーラップすることが可能となる。このオーバーラップのため、ボトル用ノズル１０と横側ボトル用ノズル２０との間で窒素ガスが切れ目なくボトルＢの口部に流し込まれることになる。その結果、ボトル口部ヘッドスペースから追い出された空気がヘッドスペースに再流入することが出来なくなる。また、この段差のため、キャッパーヘッドとの干渉を回避することが出来るため、「上方から窒素ガスを連続的に流し込む」時間を長くすることが可能となる。
【００２０】
ボトルＢがボトル用ノズル１０を通過後、続いて、横側ボトル用ノズル２０が斜め上方から窒素ガスをボトルＢの口部ヘッドスペースに対し連続的に流し込む。これにより、ボトル用ノズル１０とは異なる方向から窒素ガスを流し込むことにより、ボトルＢのヘッドスペースにおける置換率を更に向上させる一方、空気の再流入を好適に防止する。
【００２１】
図４は、横側ボトル用ノズル２０を示す説明図である。なお、図４(A)は平面図であり、同(B)は正面図であり、同(C)は各断面図である。
この横側ボトル用ノズル２０は、ボトル用ノズル１０によるガス置換の後、キャップＣがボトルＢの口部に嵌合する直前まで、ボトルＢの口部に窒素ガスを流し込む。また、図４(A)に示すように、その前面は可能な限りボトルＢの口部に近接することが出来るように内側に湾曲している。また、図４(B)に示すように、横側ボトル用ノズル２０は、窒素ガスが流出するガス噴射穴２１を４個備える。また、図４(C)に示すように、その噴射角度は全て水平方向に対して下方に４５°を成している。
【００２２】
また、横側ボトル用ノズル２０とキャッパーヘッドとのクリアランスについては、安全上、３mmが好ましい。
【００２３】
図５は、図１のＢx−Ｂx部分断面図である。
先ずキャップ用ノズル３０が、搬送されて来るキャップＣに対し下方から窒素ガスを連続的に流し込む。また、キャップ用ノズル３０の窒素ガスを噴射する噴射面は、キャップＣの搬送（軌道）に対応してフラット面からテーパ面に変化する。また、キャップ用ノズル３０と横側キャップ用ノズル４０との間で窒素ガスが切れ目なくキャップＣの内部に流し込まれるように、キャップ用ノズル３０の先端部と横側キャップ用ノズル４０の後部とがオーバーラップしている。
【００２４】
キャップＣがキャップ用ノズル３０を通過後、続いて、横側キャップ用ノズル４０が斜め下方から窒素ガスをキャップＣの内部に対し連続的に流し込む。また、後述するように、横側キャップ用ノズル４０は、キャッパーヘッドとの干渉を回避することが出来るように先端部に段差が設けられ、なお且つその段差面がキャッパーヘッドの移動方向に対応したテーパ面を成している。これにより、横側キャップ用ノズル４０はキャップＣに可能な限り近接してキャップ用ノズル３０とは異なる方向から窒素ガスを流し込むことが可能となる。これにより、キャップＣの内部の置換率を更に向上させる一方、空気の再流入を好適に防止する。
【００２５】
図６は、横側キャップ用ノズル４０を示す説明図である。なお、図６(A)は平面図であり、同(B)は正面図であり、同(C)は各断面図である。
この横側キャップ用ノズル４０は、キャップ用ノズル３０によるガス置換の後、キャップＣがボトルＢの口部に嵌合する直前まで、キャップＣに可能な限り近接して斜め下方からキャップＣの内部に窒素ガスを流し込む。また、可能な限りキャップＣに近接することが出来るように、先端部には段差テーパ面４１が設けられている。また、図６(B)に示すように、横側キャップ用ノズル４０は、窒素ガスが流出するガス噴射穴４２,４３,４４,４５を４個備える。また、図６(C)に示すように、その噴射角度は、横側キャップ用ノズル４０がキャッパーヘッド（キャップＣ）の移動方向に相対的に追従してキャップＣの内部に窒素ガスを流し込むことが出来るように、水平方向に対して上方に各々４５°,３０°,１５°,０°を成している。
【００２６】
また、横側キャップ用ノズル４０とキャッパーヘッドとのクリアランスについては、安全上、３mmが好ましい。
【００２７】
また、上記実施例においては、不活性ガスとして窒素ガスが使用されているが、これに限らず炭酸ガスやヘリウム又はこれらの混合ガスを使用しても良い。
【００２８】
また、上記実施例においては、容器としてＰＥＴボトルが使用されているが、これに限らず、キャップで密封する金属缶やガラスびんに対しても本発明を適用することが出来る。
【産業上の利用可能性】
【００２９】
本発明の容器のガス置換方法及びその装置は、容器のヘッドスペースに残留する空気を不活性ガスで置換するガス置換装置に適用することが可能である。
【図面の簡単な説明】
【００３０】
【図１】本発明のＰＥＴボトル用ガス置換装置を示す構成説明図である。
【図２】本発明のガス置換方法を示す説明図である。
【図３】図１のＡx−Ａx部分断面図である。
【図４】本発明に係る横側ボトル用ノズルを示す説明図である。
【図５】図１のＢx−Ｂx部分断面図である。
【図６】本発明に係る横側キャップ用ノズルを示す説明図である。
【符号の説明】
【００３１】
１０                    ボトル用ノズル
２０                    横側ボトル用ノズル
２１                    ガス噴射穴
３０                    キャップ用ノズル
４０                    横側キャップ用ノズル
４１                    段差テーパ面
４２,４３,４４,４５     ガス噴射穴
１００                  ＰＥＴボトル用ガス置換装置
【図１】
2010173665.tif 000003
【図２】
2010173665.tif 000004
【図３】
2010173665.tif 000005
【図４】
2010173665.tif 000006
【図５】
2010173665.tif 000007
【図６】
2010173665.tif 000008